(57)【要約】      （修正有）【課題】カードエッジコネクタにおける、平板状端子の永久変形を回避するアーム構成を提供する。【解決手段】本開示は、カードエッジコネクタを提供する。カードエッジコネクタは、複数の平板状端子を含む。それぞれの平板状端子は、弾性アーム部分を含む。弾性アームは、下側逆屈曲部、外側傾斜アーム部、上側逆屈曲部及び内側傾斜アーム部を連続的に含む。弾性アームは、閉ループを有する２アーム構成であり、２アーム構成は、内側アーム及び外側アームを有する。内側アーム及び外側アームはそれぞれ、対応する下側逆屈曲部、対応する外側傾斜アーム部、対応する上側逆屈曲部及び対応する内側傾斜アーム部を有する。内側アームの上側逆屈曲部の幅は、内側アームの部分及び外側アームの部分の中で最も大きい。上側逆屈曲部は最も大きい幅を有するため、平板状端子の過度な撓みを防止することができる。【選択図】図３
2019050184.tif 000002
【特許請求の範囲】
【請求項１】
カードエッジコネクタであって、
絶縁ハウジングであって、該絶縁ハウジングは、長手方向に沿って延在する細長い形状として形成され、前記絶縁ハウジングは、上下方向を画定する上面及び下面を有し、前記絶縁ハウジングは、前記長手方向に沿って前記上面にカードエッジ挿入溝を有し、該カードエッジ挿入溝は、第１の壁体及び第２の壁体に前記絶縁ハウジングを分離し、前記第１の壁体及び第２の壁体が互いに対向する方向は、横方向を画定し、前記第１の壁体及び第２の壁体のそれぞれが、前記カードエッジ挿入溝に対向する方向は、内側方向であり、前記第１の壁体及び第２の壁体が前記カードエッジ挿入溝から離れる方向は、外側方向であり、前記第１の壁体及び第２の壁体のうちの少なくとも１つは、前記長手方向に横並びに配置され、それぞれ前記横方向に提供される、複数の端子溝を有する、絶縁ハウジングと、
複数の平板状端子であって、それぞれの平板状端子は、対応する端子溝に装着され、それぞれの平板状端子の板面の延在方向は、前記横方向と平行であり、それぞれの平板状端子は、
該平板状端子の下側に位置付けられた基底部分と、
該基底部分より上に位置付けられ、前記カードエッジ挿入溝内に延在する、接触部分と、
前記基底部分と前記接触部分との間に位置付けられた弾性アーム部分であって、
前記基底部分を結合し、該基底部分から前記内側方向に向かって延在し、逆に屈曲し、前記外側方向及び斜め上方向に向かって延在する、下側逆屈曲部と、
前記外側方向及び斜め上方向に向かって延在する、外側傾斜アーム部と、
逆に屈曲し、前記内側方向及び斜め下方向に向かって延在する、上側逆屈曲部と、
前記内側方向及び斜め下方向に向かって延在する、内側傾斜アーム部と、を連続的に含む、弾性アーム部分と、を含む、平板状端子と、を含み、
前記弾性アーム部分が、閉ループを有する２アーム構成であり、該２アーム構成は、内側アーム及び外側アームを有し、該内側アーム及び外側アームは、それぞれの平板状端子の全体的な外形に沿って配置され、かつ異なる外形を有し、前記内側アーム及び外側アームはそれぞれ、前記対応する下側逆屈曲部と、前記対応する外側傾斜アーム部と、前記対応する上側逆屈曲部と、前記対応する内側傾斜アーム部と、を有し、これらはそれぞれ、前記弾性アーム部分の部分に対応する、カードエッジコネクタ。
【請求項２】
前記外側アームの外側傾斜アーム部が、前記内側アームの外側傾斜アーム部から第１の間隔だけ離間しており、
前記外側アームの上側逆屈曲部が、前記内側アームの上側逆屈曲部から第２の間隔だけ離間しており、
前記外側アームの内側傾斜壁部が、前記内側アームの内側傾斜壁部から第３の間隔だけ離間しており、
前記第２の間隔が、前記第１の間隔及び前記第３の間隔よりも大きい、請求項１に記載のカードエッジコネクタ。
【請求項３】
厚さが、それぞれの平板状端子の板厚を指し、幅が、板面方向に沿ったそれぞれの平板状端子のそれぞれの部分の幅を指し、
前記内側アームの上側逆屈曲部の幅が、前記内側アームの部分及び外側アームの部分の中で最も大きく、
前記内側アームの下側逆屈曲部の幅が、前記内側アームの部分の中で最も小さく、前記外側アームの下側逆屈曲部の幅が、前記外側アームの部分の中で最も小さく、
前記内側アームの下側逆屈曲部の幅が、前記外側アームの下側逆屈曲部の幅以上であり、前記内側アームの外側傾斜アーム部の幅が、前記外側アームの外側傾斜アーム部の幅以上であり、前記内側アームの内側傾斜アーム部の幅が、前記外側アームの内側傾斜アーム部の幅以上である、請求項２に記載のカードエッジコネクタ。
【請求項４】
前記第２の間隔が、前記第１の間隔よりも大きく、該第１の間隔が、前記第３の間隔よりも大きい、請求項３に記載のカードエッジコネクタ。
【請求項５】
前記内側アームの下側逆屈曲部の幅が、前記外側アームの下側逆屈曲部の幅に等しい、請求項４に記載のカードエッジコネクタ。
【請求項６】
前記内側アームの厚さに対する前記内側アームの幅の比が、１．３〜２．３の範囲であり、前記外側アームの厚さに対する前記外側アームの幅の比が、１．３〜２．３の範囲である、請求項５に記載のカードエッジコネクタ。
【請求項７】
前記接触部分が、接触縁部及びガイド縁部を有し、該ガイド縁部は、前記接触縁部より上に位置付けられ、
前記複数の平板状端子が、第１の列の平板状端子と、第２の列の平板状端子と、を含み、前記第１の列のそれぞれの平板状端子は、前記第１の壁体のそれぞれの端子溝に装着され、前記第２の列のそれぞれの平板状端子は、前記第２の壁体のそれぞれの端子溝に装着され、
前記第１の列のそれぞれの平板状端子の接触部分の高さが、前記第２の列のそれぞれの平板状端子の接触部分の高さよりも低く、
前記第１の列のそれぞれの平板状端子のガイド縁部と前記上下方向との間の鋭角が、前記第２の列のそれぞれの平板状端子のガイド縁部と前記上下方向との間の鋭角よりも大きく、
前記第１の列のそれぞれの平板状端子の内側アームの上側逆屈曲部の幅が、前記第２の列のそれぞれの平板状端子の内側アームの上側逆屈曲部の幅よりも大きい、請求項１〜６のいずれか１項に記載のカードエッジコネクタ。
【請求項８】
前記第２の列のそれぞれの平板状端子の内側アームの内側傾斜アーム部の幅が、前記第１の列のそれぞれの平板状端子の内側アームの内側傾斜アーム部の幅よりも大きく、
前記第１の列のそれぞれの平板状端子の外側アームの内側傾斜アーム部の幅が、前記第１の列のそれぞれの平板状端子の外側アームの上側逆屈曲部の幅に等しく、前記第２の列のそれぞれの平板状端子の外側アームの内側傾斜アーム部の幅が、前記第２の列のそれぞれの平板状端子の外側アームの上側逆屈曲部の幅に等しく、前記第１の列のそれぞれの平板状端子の外側アームの内側傾斜アーム部の幅が、前記第２の列のそれぞれの平板状端子の外側アームの内側傾斜アーム部の幅よりも大きく、
前記第１の列のそれぞれの平板状端子の内側アームの外側傾斜アーム部の幅が、前記第２の列のそれぞれの平板状端子の内側アームの外側傾斜アーム部の幅以上であり、
前記第１の列のそれぞれの平板状端子の外側アームの下側逆屈曲部の幅と、前記第１の列のそれぞれの平板状端子の内側アームの下側逆屈曲部の幅と、前記第２の列のそれぞれの平板状端子の外側アームの下側逆屈曲部の幅と、前記第２の列のそれぞれの平板状端子の内側アームの下側逆屈曲部の幅と、前記第１の列のそれぞれの平板状端子の外側アームの外側傾斜アーム部の幅と、前記第２の列のそれぞれの平板状端子の外側アームの外側傾斜アーム部の幅と、前記第２の列のそれぞれの平板状端子の内側アームの外側傾斜アーム部の幅と、が、互いに等しい、請求項７に記載のカードエッジコネクタ。
【請求項９】
前記第１の列のそれぞれの平板状端子において、
前記内側アームの上側逆屈曲部の幅が、前記外側アームの上側逆屈曲部の幅よりも大きく、前記内側アームの内側傾斜アーム部の幅が、前記外側アームの内側傾斜アーム部の幅に等しく、前記内側アームの外側傾斜アーム部の幅が、前記外側アームの外側傾斜アーム部の幅以上であり、前記内側アームの下側逆屈曲部の幅が、前記外側アームの下側逆屈曲部の幅に等しく、
前記内側アームの上側逆屈曲部の幅が、前記内側アームの内側傾斜アーム部の幅よりも大きく、前記内側アームの内側傾斜アーム部の幅が、前記内側アームの外側傾斜アーム部の幅以上であり、前記内側アームの外側傾斜アーム部の幅が、前記内側アームの下側逆屈曲部の幅以上であり、
前記外側アームの上側逆屈曲部の幅が、前記外側アームの内側傾斜アーム部の幅に等しく、前記外側アームの内側傾斜アーム部の幅が、前記外側アームの外側傾斜アーム部の幅よりも大きく、前記外側アームの外側傾斜アーム部の幅が、前記外側アームの下側逆屈曲部の幅に等しく、
前記内側アームの幅と前記内側アームの厚さとの比及び外側アームの幅と外側アームの厚さとの比がそれぞれ、１．３〜２．３の範囲であり、
前記第２の列のそれぞれの平板状端子において、
前記内側アームの上側逆屈曲部の幅が、前記外側アームの上側逆屈曲部の幅よりも大きく、前記内側アームの内側傾斜アーム部の幅が、前記外側アームの内側傾斜アーム部の幅よりも大きく、前記内側アームの外側傾斜アーム部の幅が、前記外側アームの外側傾斜アーム部の幅に等しく、前記内側アームの下側逆屈曲部の幅が、前記外側アームの下側逆屈曲部の幅に等しく、
前記内側アームの上側逆屈曲部の幅が、前記内側アームの内側傾斜アーム部の幅に等しく、前記内側アームの内側傾斜アーム部の幅が、前記内側アームの外側傾斜アーム部の幅よりも大きく、前記内側アームの外側傾斜アーム部の幅が、前記内側アームの下側逆屈曲部の幅に等しく、
前記外側アームの上側逆屈曲部の幅が、前記外側アームの内側傾斜アーム部の幅に等しく、前記外側アームの内側傾斜アーム部の幅が、前記外側アームの外側傾斜アーム部の幅に等しく、前記外側アームの外側傾斜アーム部の幅が、前記外側アームの下側逆屈曲部の幅に等しく、
前記内側アームの幅と前記内側アームの厚さとの比及び外側アームの幅と外側アームの厚さとの比がそれぞれ、１．３〜２．０の範囲である、請求項８に記載のカードエッジコネクタ。
【請求項１０】
それぞれの平板状端子が、保持部分を更に含み、該保持部分は、前記絶縁ハウジングに干渉固定されるように構成されている、請求項１に記載のカードエッジコネクタ。
【請求項１１】
前記保持部分が、前記平板状端子と一体に形成されている、請求項１０に記載のカードエッジコネクタ。
【請求項１２】
前記カードエッジコネクタが、複数の支持ブロックを更に含み、それぞれの支持ブロックは、前記基底部分と前記保持部分との間に位置付けられ、それぞれの端子溝が、支持ブロック受容溝を更に含み、該支持ブロック受容溝は、相互に連通し、前記支持ブロックが、相互に連通する前記支持ブロック受容溝内に前記長手方向に沿って横並びに配置されている、請求項１０に記載のカードエッジコネクタ。
【請求項１３】
前記保持部分が、干渉突出部を更に含み、それぞれの支持ブロック受容溝が、浅溝を更に含み、前記干渉突出部は、前記浅溝に干渉固定されている、請求項１２に記載のカードエッジコネクタ。
【請求項１４】
それぞれの平板状端子が、テール部分を更に含み、前記絶縁ハウジングが、複数の端子テール部分固定溝を更に含み、該端子テール部分固定溝は、前記平板状端子のテール部分を位置決めし、受容するように構成されている、請求項１３に記載のカードエッジコネクタ。
【請求項１５】
前記第１の壁体の内側の上端が、前記カードエッジ挿入溝に向かって傾斜した挿入ガイド面を有する、請求項７に記載のカードエッジコネクタ。
【発明の詳細な説明】
【技術分野】
【０００１】
本開示は、カードエッジコネクタ、特にカードエッジモジュールを組み立てるために使用されるカードエッジコネクタに関する。
【背景技術】
【０００２】
図１は、米国対応特許（United Orientations patent）第４，８３２，６１７号（台湾特許出願第７７２１１１９３号に対応）に開示されている既存のカードエッジコネクタの端子１１の構造概略図である。図１を参照すると、端子１１は、平面の導電性部材の形状の端子であり、互いに概ね平行である平面梁部１２Ａ及び１２Ｂを形成する中央切欠１０を有し、基底１４から離れた平面梁部１２Ａ及び１２Ｂの端部は、部分１６で結合されている。平面梁部１２Ａ及び１２Ｂは共に、長さ方向に沿って均一かつ同一の幅（すなわち、平面梁部１２Ａの幅Ｗ０は、平面梁部１２Ｂの幅Ｗ０’と同一である）を有し、中央切欠１０は、２つの平面梁部１２Ａ及び１２Ｂの隣接する縁部の間に位置付けられ、平面梁部１２Ａ及び１２Ｂそれぞれの幅と実質的に同一の幅を有する。平面梁部１２Ａ及び１２Ｂの一方は引張力を受け、平面梁部１２Ａ及び１２Ｂの他方は圧縮力を受ける。
【０００３】
端子１１の概ね平行な平面梁部１２Ａ及び１２Ｂの幅は同一であるため、基板１８によって平面梁部１２Ａ及び１２Ｂに加えられる応力は、基板カード１８が挿入される又は引き抜かれるときに平面梁部１２Ａ及び１２Ｂが耐えることのできる応力を比較的容易に超過し、それにより、端子１１の永久変形が生じ、特にそのような永久変形は、２つの平面梁部１２Ａ及び１２Ｂの曲げ位置でより発生しやすい。平面梁部１２Ａ及び１２Ｂが受ける引張力及び圧縮力は異なり、当然ながら、平面梁部１２Ａ及び１２Ｂの最大塑性変形を克服するには、平面梁部１２Ａ及び１２Ｂの幅及び厚さを同時に増加させることが１つの方法ではあるが、そうした場合、コネクタ及び端子をより小さく、よりコンパクトに設計することが難しくなる。
【０００４】
図２は、中国特許出願第２０１４８００４５２２４．２号（米国対応特許公開第２０１６／０１８１７１３号及び台湾特許出願第１０３１２７０５１号に対応）に開示されている既存のカードエッジコネクタの端子２Ａ及び２Ｂの構造概略図である。図２を参照すると、端子２Ａは接触部分２０Ａを含み、端子２Ｂは接触部分２０Ｂを含む。接触部分２０Ａ及び２０Ｂは、ループとして形成され、接触部分２０Ａ及び２０Ｂの支持を補助するバックフレーム２２Ａ及び２２Ｂを含む。
【０００５】
しかし、同様に、端子２Ａの接触部分２０Ａの幅は、端子２Ｂの接触部分２０Ｂの幅と同一であるため、基板カードによって端子２Ａの接触部分２０Ａ及び端子２Ｂの接触部分２０Ｂに加えられる応力は、基板カード（図示せず）が挿入される又は引き抜かれるときに、端子２Ａの接触部分２０Ａ及び端子２Ｂの接触部分２０Ｂが耐えることのできる応力をそれぞれ比較的容易に超過し、それによって、端子２Ａの永久変形及び端子２Ｂの永久変形が生じ、そのような永久変形は、端子２Ａ及び端子２Ｂの曲げ位置でそれぞれより発生しやすい。
【０００６】
上述のような背景の説明は、単に背景技術を提供するために使用され、上述のような背景技術での説明が、本開示の目的を開示しているとは認められず、本開示の先行技術を構成するものではなく、上述のような背景における説明は、本開示の役割を一切果たすものではない。
【発明の概要】
【課題を解決するための手段】
【０００７】
本開示の実施形態は、カードエッジコネクタを提供する。カードエッジコネクタは、絶縁ハウジング及び複数の平板状端子を含む。絶縁ハウジングは、長手方向に沿って延在する細長い形状として形成され、絶縁ハウジングは、上下方向を画定する上面及び下面を有し、絶縁ハウジングは、長手方向に沿って上面上にカードエッジ挿入溝を有し、カードエッジ挿入溝は、第１の壁体及び第２の壁体に絶縁ハウジングを分離し、第１の壁体及び第２の壁体が互いに対向する方向は、横方向を画定し、第１の壁体及び第２の壁体のそれぞれがカードエッジ挿入溝に対向する方向は、内側方向であり、第１の壁体及び第２の壁体のそれぞれがカードエッジ挿入溝から離れる方向は、外側方向であり、第１の壁体及び第２の壁体のうちの少なくとも１つは、長手方向に横並びに配列され、それぞれ横方向に提供される複数の端子溝を有する。それぞれの平板状端子は、対応する端子溝に装着され、それぞれの平板状端子の板面の延在方向は、横方向と平行であり、それぞれの平板状端子は、基底部分、接触部分、及び弾性アーム部分を含む。基底部分は、平板状端子の下側に位置付けられる。接触部分は、基底部分より上に位置付けられ、カードエッジ挿入溝内に延在する。弾性アーム部分は、基底部分と接触部分との間に位置付けられ、弾性アーム部分は、下側逆屈曲部、外側傾斜アーム部、上側逆屈曲部及び内側傾斜アーム部を連続的に含む。下側逆屈曲部は基底部分に結合し、基底部分から内側方向に向かって延在し、逆に屈曲し、外側方向及び斜め上方向に向かって延在する。外側傾斜アーム部は、外側方向及び斜め上方向に向かって延在する。上側逆屈曲部は、逆に屈曲して、内側方向及び斜め下方向に向かって延在する。内側傾斜アーム部は、内側方向及び斜め下方向に向かって延在する。弾性アーム部分は閉ループを有する２アーム構成であり、２アーム構成は内側アーム及び外側アームを有し、内側アーム及び外側アームは、それぞれの平板状端子の全体的な外形に沿って配置され、かつ異なる外形を有し、内側アーム及び外側アームはそれぞれ、対応する下側逆屈曲部と、対応する外側傾斜アーム部と、対応する上側逆屈曲部と、対応する内側傾斜アーム部と、を有し、これらはそれぞれ、弾性アーム部分の各部に対応する。
【０００８】
本開示の実施形態では、外側アームの外側傾斜アーム部は、内側アームの外側傾斜アーム部から第１の間隔だけ離間し、外側アームの上側逆屈曲部は、内側アームの上側逆屈曲部から第２の間隔だけ離間し、外側アームの内側傾斜壁部は、内側アームの内側傾斜壁部から第３の間隔だけ離間し、第２の間隔は、第１の間隔及び第３の間隔よりも大きい。
【０００９】
本開示の実施形態では、厚さは、それぞれの平板状端子の板厚を指し、幅は、板面方向に沿ったそれぞれの平板状端子のそれぞれの部分の幅を指す。内側アームの上側逆屈曲部の幅は、内側アームの部分及び外側アームの部分の中で最も大きく、内側アームの下側逆屈曲部の幅は、内側アームの部分の中で最も小さく、外側アームの下側逆屈曲部の幅は、外側アームの部分の中で最も小さく、内側アームの下側逆屈曲部の幅は、外側アームの下側逆屈曲部の幅以上であり、内側アームの外側傾斜アーム部の幅は、外側アームの外側傾斜アーム部の幅以上であり、内側アームの内側傾斜アーム部の幅は、外側アームの内側傾斜アーム部の幅以上である。
【００１０】
本開示の実施形態では、第２の間隔は第１の間隔よりも大きく、第１の間隔は第３の間隔よりも大きい。
【００１１】
本開示の実施形態では、内側アームの下側逆屈曲部の幅は、外側アームの下側逆屈曲部の幅に等しい。
【００１２】
本開示の実施形態では、内側アームの厚さに対する内側アームの幅の比は、１．３〜２．３の範囲であり、外側アームの厚さに対する外側アームの幅の比は、１．３〜２．３の範囲である。
【００１３】
本開示の実施形態では、接触部分は、接触縁部及びガイド縁部を有し、ガイド縁部は、接触縁部より上に位置付けられる。複数の平板状端子は、第１の列の平板状端子と、第２の列の平板状端子と、を含み、第１の列のそれぞれの平板状端子は、第１の壁体のそれぞれの端子溝に装着され、第２の列のそれぞれの平板状端子は、第２の壁体のそれぞれの端子溝に装着される。第１の列のそれぞれの平板状端子の接触部分の高さは、第２の列のそれぞれの平板状端子の接触部分の高さよりも低い。第１の列のそれぞれの平板状端子のガイド縁部と上下方向との間の鋭角は、第２の列のそれぞれの平板状端子のガイド縁部と上下方向との間の鋭角よりも大きい。第１の列のそれぞれの平板状端子の内側アームの上側逆屈曲部の幅は、第２の列のそれぞれの平板状端子の内側アームの上側逆屈曲部の幅よりも大きい。
【００１４】
本開示の実施形態では、第２の列のそれぞれの平板状端子の内側アームの内側傾斜アーム部の幅は、第１の列のそれぞれの平板状端子の内側アームの内側傾斜アーム部の幅よりも大きい。第１の列のそれぞれの平板状端子の外側アームの内側傾斜アーム部の幅は、第１の列のそれぞれの平板状端子の外側アームの上側逆屈曲部の幅に等しく、第２の列のそれぞれの平板状端子の外側アームの内側傾斜アーム部の幅は、第２の列のそれぞれの平板状端子の外側アームの上側逆屈曲部の幅に等しく、第１の列のそれぞれの平板状端子の外側アームの内側傾斜アーム部の幅は、第２の列のそれぞれの平板状端子の外側アームの内側傾斜アーム部の幅よりも大きい。第１の列のそれぞれの平板状端子の内側アームの外側傾斜アーム部の幅は、第２の列のそれぞれの平板状端子の内側アームの外側傾斜アーム部の幅以上である。第１の列のそれぞれの平板状端子の外側アームの下側逆屈曲部の幅と、第１の列のそれぞれの平板状端子の内側アームの下側逆屈曲部の幅と、第２の列のそれぞれの平板状端子の外側アームの下側逆屈曲部の幅と、第２の列のそれぞれの平板状端子の内側アームの下側逆屈曲部の幅と、第１の列のそれぞれの平板状端子の外側アームの外側傾斜アーム部の幅と、第２の列のそれぞれの平板状端子の外側アームの外側傾斜アーム部の幅と、第２の列のそれぞれの平板状端子の内側アームの外側傾斜アーム部の幅と、は、互いに等しい。
【００１５】
本開示の実施形態では、第１の列のそれぞれの平板状端子において：内側アームの上側逆屈曲部の幅は、外側アームの上側逆屈曲部の幅よりも大きく、内側アームの内側傾斜アーム部の幅は、外側アームの内側傾斜アーム部の幅に等しく、内側アームの外側傾斜アーム部の幅は、外側アームの外側傾斜アーム部の幅以上であり、内側アームの下側逆屈曲部の幅は、外側アームの下側逆屈曲部の幅に等しく；内側アームの上側逆屈曲部の幅は、内側アームの内側傾斜アーム部の幅よりも大きく、内側アームの内側傾斜アーム部の幅は、内側アームの外側傾斜アーム部の幅以上であり、内側アームの外側傾斜アーム部の幅は、内側アームの下側逆屈曲部の幅以上であり；外側アームの上側逆屈曲部の幅は、外側アームの内側傾斜アーム部の幅に等しく、外側アームの内側傾斜アーム部の幅は、外側アームの外側傾斜アーム部の幅以上であり、外側アームの外側傾斜アーム部の幅は、外側アームの下側逆屈曲部の幅に等しく；内側アームの厚さに対する内側アームの幅の比及び外側アームの厚さに対する外側アームの幅の比はそれぞれ、１．３〜２．３の範囲である。第２の列のそれぞれの平板状端子において：内側アームの上側逆屈曲部の幅は、外側アームの上側逆屈曲部の幅よりも大きく、内側アームの内側傾斜アーム部の幅は、外側アームの内側傾斜アーム部の幅よりも大きく、内側アームの外側傾斜アーム部の幅は、外側アームの外側傾斜アーム部の幅に等しく、内側アームの下側逆屈曲部の幅は、外側アームの下側逆屈曲部の幅に等しく；内側アームの上側逆屈曲部の幅は、内側アームの内側傾斜アーム部の幅に等しく、内側アームの内側傾斜アーム部の幅は、内側アームの外側傾斜アーム部の幅よりも大きく、内側アームの外側傾斜アーム部の幅は、内側アームの下側逆屈曲部の幅に等しく；外側アームの上側逆屈曲部の幅は、外側アームの内側傾斜アーム部の幅に等しく、外側アームの内側傾斜アーム部の幅は、外側アームの外側傾斜アーム部の幅に等しく、外側アームの外側傾斜アーム部の幅は、外側アームの下側逆屈曲部の幅に等しく；内側アームの厚さに対する内側アームの幅の比及び外側アームの厚さに対する外側アームの幅の比はそれぞれ、１．３〜２．０の範囲である。
【００１６】
本開示の実施形態では、それぞれの平板状端子は、保持部分を更に含み、保持部分は、絶縁ハウジングに干渉固定されるように構成される。
【００１７】
本開示の実施形態では、保持部分は、平板状端子と一体に形成される。
【００１８】
本開示の実施形態では、カードエッジコネクタは、複数の支持ブロックを更に含み、それぞれの支持ブロックは、基底部分と保持部分との間に位置付けられ、それぞれの端子溝は、支持ブロック受容溝を更に含み、支持ブロック受容溝は、相互に連通し、支持ブロックは、相互に連通する支持ブロック受容溝内に長手方向に沿って横並びに配置される。
【００１９】
本開示の実施形態では、保持部分は、干渉突出部を更に含み、それぞれの支持ブロック受容溝は、浅溝を更に含み、干渉突出部は、浅溝に干渉固定される。
【００２０】
本開示の実施形態では、それぞれの平板状端子は、テール部分を更に含み、絶縁ハウジングは、複数の端子テール部分固定溝を更に含み、端子テール部分固定溝は、平板状端子のテール部分を位置決めし、受容するように構成される。
【００２１】
本開示の実施形態では、第１の壁体の内側の上端は、カードエッジ挿入溝に向かって傾斜した挿入ガイド面を有する。
【００２２】
本開示の実施形態では、それぞれの平板状端子は、閉ループを有する２アーム構成である。２アーム構成は、それぞれの平板状端子の全体的な外形に沿って配置された内側アームと外側アームとを有する。それぞれの平板状端子の内側アーム及び外側アームは、異なる外形を有し、内側アーム及び外側アームはそれぞれ、異なる幅の部分を有し得る（つまり、下側逆屈曲部の幅、外側傾斜アーム部の幅、上側逆屈曲部の幅、及び内側傾斜アーム部の幅は異なる）。また、いくつかの対応するアーム部では、内側アームの部分の幅は、外側アームの対応する部分の幅よりも大きく、いくつかの部分では、外側アームは、内側アームから第２の間隔などの相対的に大きい間隔だけ離間する。したがって、平板状端子の閉ループを有する２アーム構成は、平板状端子の撓み挙動を制御することができ、平板状端子の過度な撓みを防止し、次いで、平板状端子の永久変形を回避し得る。
【００２３】
比較していえば、いくつかの既存の端子では、端子の２つの概ね平行な平面梁部の幅は同一であるため、基板カードによって２つの平面梁部に加えられる応力は、基板カードが挿入される又は引き抜かれるときに２つの平面梁部が耐えることのできる応力を比較的容易に超過し、それによって、端子の永久変形が生じ、そのような永久変形は、２つの平面梁部の曲げ位置により発生しやすい。
【００２４】
本開示の技術的特徴及び利点は、以下の詳細な説明をよりよく理解するために、上記のように広く要約される。本開示の特許請求の範囲の技術的解決策を構成する他の技術的特徴及び他の利点を以下に記述する。本開示の当業者は、以下に開示される概念及び特定の実施形態が、本開示と同じ目的を実現するために、他の構成又は製造アプローチを変更又は設計するために容易に使用され得ることを理解するものとする。本開示の技術分野の当業者であれば、このような等価の構成又はアプローチは、添付の特許請求の範囲によって規定される本開示の趣旨及び範囲から逸脱し得ないことも理解するであろう。
【図面の簡単な説明】
【００２５】
本開示の様々な観点は、添付図面に関連して行われる以下の詳細な説明によって最もよく理解することができる。本業界の標準的な実施態様によれば、特徴は尺度どおり描写されていないことに留意されたい。実際には、明確な説明のために、様々な特徴の寸法を任意に拡大又は縮小してもよい。
【００２６】
【図１】既存のカードエッジコネクタの端子の構造概略図である。
【図２】既存のカードエッジコネクタの端子の構造概略図である。
【図３】本開示の実施形態のカードエッジコネクタの上面斜視概略図である。
【図４】図３のカードエッジコネクタの下面斜視概略図である。
【図５】図４のカードエッジコネクタの上面分解概略図である。
【図６】図４のカードエッジコネクタの下面分解斜視概略図である。
【図７】図５のカードエッジコネクタのＡ−Ａ線に沿った断面斜視概略図である。
【図８】図７のカードエッジコネクタの平板状端子を組み立てた後の断面斜視概略図である。
【図９】図８のカードエッジコネクタの平面断面概略図である。
【図１０】図４のカードエッジコネクタの平板状端子の上面斜視概略図である。
【図１１】図４のカードエッジコネクタの平板状端子の上面分解斜視概略図である。
【符号の説明】
【００２７】
図中の参照番号は、以下のように表されている。
【００２８】
１１  端子
１０  中央切欠
１２Ａ  平面梁部
１２Ｂ  平面梁部
１４  基底
１６  部分
Ｗ０’  幅
Ｗ０  幅
２Ａ  端子
２Ｂ  端子
２０Ａ  接触部分
２０Ｂ  接触部分
２２Ａ  バックフレーム
２２Ｂ  バックフレーム
５  キャリア基板
４  カードエッジモジュール
３  カードエッジコネクタ
４’  位置
４’’  位置
７  絶縁ハウジング
９  平板状端子
６  補助固定部材
７０  上面
７２  下面
７８  端子溝
７４Ａ  第１の壁体
７４Ｂ  第２の壁体
Ｒ１  内側方向
Ｒ２  外側方向
８０  支持ブロック
９０  保持部分
３０  基底部分
４０  接触部分
５０  弾性アーム部分
６０  テール部分
４２  接触縁部
４４  ガイド縁部
Ｓ１１  第１の間隔
Ｓ１２  第２の間隔
Ｓ１３  第３の間隔
Ｓ２１  第１の間隔
Ｓ２２  第２の間隔
Ｓ２３  第３の間隔
Ｔ  厚さ
Ｗ  幅
Ｌ  高さ
７７  傾斜した挿入ガイド面
１  第１の列の平板状端子
２  第２の列の平板状端子
Ａ１  外側アーム
Ｂ１  内側アーム
５２Ａ  下側逆屈曲部
５４Ａ  外側傾斜アーム部
５６Ａ  上側逆屈曲部
５８Ａ  内側傾斜アーム部
５２Ｂ  下側逆屈曲部
５４Ｂ  外側傾斜アーム部
５６Ｂ  上側逆屈曲部
５８Ｂ  内側傾斜アーム部
Ａ２  外側アーム
Ｂ２  内側アーム
５３Ａ  下側逆屈曲部
５５Ａ  外側傾斜アーム部
５７Ａ  上側逆屈曲部
５９Ａ  内側傾斜アーム部
５３Ｂ  下側逆屈曲部
５５Ｂ  外側傾斜アーム部
５７Ｂ  上側逆屈曲部
５９Ｂ  内側屈曲アーム部
９２  干渉突出部
７９  浅溝
８０  支持ブロック
７８０  支持ブロック受容溝
７６  端子テール部分固定溝
４１  導電性パッド
Ｒ１  内側方向
Ｒ２  外側方向
【発明を実施するための形態】
【００２９】
以下の開示内容は、本開示の様々な特徴を実施するために使用される様々な実施形態又は例示を提供する。本開示の開示内容を簡略化するために、構成要素及び配置の特定の例を以下に説明する。これらは確実に単なる例であり、本開示を限定するために使用されるものではない。例えば、以下の説明において、第１の特徴が第２の特徴上又はその上部に形成されることは、第１の特徴及び第２の特徴が互いに直接接触するように形成される実施形態を含んでもよく、他の特徴が第１の特徴と第２の特徴との間に形成され、このため、第１の特徴と第２の特徴は互いに直接接触しない実施形態を含んでもよい。更に、本開示は、異なる例において構成要素の記号及び／又は文字が繰り返されてもよい。繰り返しは、簡略化及び明確化のために使用されるが、様々な実施形態及び／又は考察される構造の間の関係の優位性を示すために使用されるものではない。
【００３０】
更に、本開示は、「下方」、「より低い」、「相対的に低い」、「より高い」、「相対的に高い」などの空間的に対応する用語を使用して、任意の構成要素又は特徴と別の構成要素又は特徴との関係を記述してもよい。空間的に対応する用語は、図に例解する配置や方向の他に、使用又は動作中の装置の様々な配置や方向を含むために使用される。あるいは、装置を方向付けてもよく（９０度、又は他の方向に回転させる）、本開示において対応する空間の記述について、対応して説明してもよい。任意の特徴が別の特徴に、又は基板の上に形成されるとき、それらの間に他の特徴が提示され得ることを理解されたい。
【００３１】
図３は、本開示の一実施形態のカードエッジコネクタ３の上面斜視概略図であり、カードエッジコネクタ３は、キャリア基板５に装着され、カードエッジモジュール４を受容する。図３を参照すると、図３は、２つのカードエッジモジュール４の配置を示しているが、２つのカードエッジモジュール４が一度にカードエッジコネクタ３に挿入されることを意味するものではない。更に、２つのカードエッジモジュール４の配置は、カードエッジモジュール４が位置４’と位置４’’との間の位置でカードエッジコネクタ３に挿入され、挿入方向に向きが保たれることのみを示すためのものである。いくつかの実施形態では、キャリア基板５は、プリント配線板（ＰＣＢ）を含む。
【００３２】
図４は、図３のカードエッジコネクタ３の下面斜視概略図である。図５は、図４のカードエッジコネクタ３の上面分解概略図である。図６は、図４のカードエッジコネクタ３の下面分解斜視概略図である。図４〜図６を参照すると、カードエッジコネクタ３は、絶縁ハウジング７、複数の平板状端子９及び２つの補助固定部材６を含む。再び図３を参照すると、平板状端子９は、絶縁ハウジング７に装着され、キャリア基板５に固定され、２つの補助固定部材６は、絶縁ハウジング７をキャリア基板５に固定するのを補助する。
【００３３】
絶縁ハウジング７は、長手方向に沿って延在する細長い形状として形成され、上下方向を画定する上面７０及び下面７２を有する。絶縁ハウジング７は、長手方向に沿って上面７０上にカードエッジ挿入溝７４を有し、カードエッジ挿入溝７４は、カードエッジモジュール４を受容するように構成される（図３を参照のこと）。
【００３４】
図７は、図５のカードエッジコネクタ３のＡ−Ａ線に沿った断面斜視概略図であり、絶縁基底７の斜視断面と、１対の平板状端子９が絶縁基底７の端子溝７８から分離されている状況のみを示している。図８は、図７のカードエッジコネクタ３の平板状端子９が組み立てられた後の断面斜視概略図である。図９は、図８のカードエッジコネクタ３の平面断面概略図である。
【００３５】
図７〜図９を参照すると、カードエッジ挿入溝７４は、絶縁ハウジング７を第１の壁体７４Ａ及び第２の壁体７４Ｂに分離する。第１の壁体７４Ａと第２の壁体７４Ｂとが互いに対向する方向は、横方向を画定する。絶縁ハウジング７は、複数の端子溝７８を有し、第１の壁体７４Ａ及び第２の壁体７４Ｂのそれぞれは、長手方向に横並びに配置され、それぞれ横方向に提供される、端子溝７８を有する。複数の平板状端子９は、平板状端子の第１の列１と、平板状端子の第２の列２と、を含む。第１の列１のそれぞれの平板状端子は、第１の壁体７４Ａのそれぞれの端子溝７８に装着され、第２の列２のそれぞれの平板状端子は、第２の壁体７４Ｂのそれぞれの端子溝７８に装着される。それぞれの平板状端子９の板面の延在方向は、横方向に平行である。一実施形態では、第１の列１のそれぞれの平板状端子は、第２の列２のそれぞれの平板状端子と外形が異なる。別の実施形態では、第１の列１のそれぞれの平板状端子は、第２の列２のそれぞれの平板状端子と外形が同一であり得る。また、第１の壁体７４Ａ及び第２の壁体７４Ｂのそれぞれがカードエッジ挿入溝７４に対向する方向は、内側方向Ｒ１であり、第１の壁体７４Ａ及び第２の壁体７４Ｂのそれぞれがカードエッジ挿入溝７４から離れる方向は、外側方向Ｒ２である。また、絶縁ハウジング７の第１の壁体７４Ａの内側９３の上端は、カードエッジ挿入溝７４に向かって傾斜した挿入ガイド面７７を有する。傾斜した挿入ガイド面７７は、カードエッジモジュール４が傾斜してカードエッジ挿入溝７４に挿入されたときに、カードエッジモジュール４をガイドするように構成される。
【００３６】
以下に、図９及び図１０を参照して、平板状端子９の共通の構造的特徴を最初に説明し、以下に、第１の列１の平板状端子を一例として挙げるが、これらの構造的特徴は、第２の列２の平板状端子にも適用可能である。図１０は、図４のカードエッジコネクタ３の平板状端子９の上面斜視概略図である。
【００３７】
それぞれの平板状端子９は、基底部分３０、接触部分４０、弾性アーム部分５０、テール部分６０を含む。基底部分３０は、平板状端子９の下面に位置付けられる。接触部分４０は、図７〜図９に示すように、基底部分３０より上に位置付けられ、カードエッジ挿入溝７４内に内側方向Ｒ１に向かって延在する。弾性アーム部分５０は、基底部分３０と接触部分４０との間に位置付けられる。接触部分４０は、接触縁部４２及びガイド縁部４４を有する。ガイド縁部４４は、接触縁部４２より上に位置付けられ、ガイド縁部４４は、カードエッジモジュール４がカードエッジ挿入溝７４内に挿入されるときにカードエッジモジュール４をガイドするように構成される。いくつかの実施形態では、テール部分６０は、表面はんだ付けテール部分を含み、平板状端子９は、表面はんだ付けテール部分をキャリア基板５にはんだ付けすることによって、キャリア基板５に固定される。
【００３８】
弾性アーム部分５０は、下側逆屈曲部、外側傾斜アーム部、上側逆屈曲部及び内側傾斜アーム部を連続的に含む。下側逆屈曲部は、基底部分３０の一端を内側方向Ｒ１に結合し、基底部分３０から内側方向Ｒ１に向かって延在し、逆に屈曲して外側方向Ｒ２及び斜め上方向に向かって延在する。外側傾斜アーム部は、外側方向Ｒ２及び斜め上方向に向かって延在する。上側逆屈曲部は、逆に屈曲し、内側方向Ｒ１及び斜め下方向に向かって延在する。内側傾斜アーム部は、内側方向Ｒ１及び斜め下方向に向かって延在する。
【００３９】
更に、弾性アーム部分５０は、閉ループを有する２アーム構成である。２アーム構成は、内側アーム及び外側アームを有し、内側アーム及び外側アームは、それぞれの平板状端子９の全体的な外形に沿って配置され、異なる外形を有する。内側アーム及び外側アームはそれぞれ、対応する下側逆屈曲部、対応する外側傾斜アーム部、対応する上側逆屈曲部、及び対応する内側傾斜アーム部を有しており、これらについては以下で詳細に説明する。
【００４０】
以下、平板状端子９の厚さＴ、幅Ｗ、高さＬについて論じる。厚さＴは、平板状端子９の長手方向の厚さである、平板状端子９の板厚を指し、幅Ｗは、平板状端子９のそれぞれの部分の板面方向に沿った幅を指し、高さＬは、平板状端子９の合計高さである、平板状端子９の上側逆屈曲部５６の上端と基底部分３０の下端との間の上下方向の距離を指す。本実施形態では、平板状端子９は、板を打ち抜き及び型押し加工によって形成され、そのため、平板状端子９の基底部分３０、下側逆屈曲部、外側傾斜アーム部、上側逆屈曲部、内側傾斜アーム部、及び接触部分４０は、すべて同一の厚さＴを有し、同一板面上に位置付けられる。
【００４１】
図９及び図１０を参照して、第１の列１のそれぞれの平板状端子のアームの部分及び第２の列２のそれぞれの平板状端子のアームの部分の幅Ｗが有する共通の構造的特徴について以下に説明する。上述のように、第１の列１のそれぞれの平板状端子は、便宜的に論じるために一例として挙げており、第１の列１の平板状端子の内部構造は、次のように示されている：外側アームはＡ１として示され、内側アームはＢ１として示されている；外側アームＡ１の下側逆屈曲部は、５２Ａとして示され、外側傾斜アーム部は５４Ａとして示され、上側逆屈曲部は５６Ａとして示され、内側傾斜アーム部は５８Ａとして示されている；内側アームＢ１の下側逆屈曲部は５２Ｂとして示され、外側傾斜アーム部は５４Ｂとして示され、上側逆屈曲部は５６Ｂとして示され、内側傾斜アーム部は５８Ｂとして示されている。共通の構造的特徴は、次のように表わすことができる。
（１）内側アームＢ１の上側逆屈曲部５６Ｂの幅Ｗは、内側アームＢ１の部分及び内側アームＡ１の部分の中で最も大きく、内側アームＢ１の上側逆屈曲部５６Ｂの幅Ｗは、外側アームＡ１の上側逆屈曲部５６Ａの幅Ｗよりも大きい。
（２）内側アームＢ１の下側逆屈曲部５２Ｂの幅Ｗは、内側アームＢ１の部分の中で最も小さく、外側アームＡ１の下側逆屈曲部５２Ａの幅Ｗは、外側アームＡ１の部分の中で最も小さい。
（３）内側アームＢ１の下側逆屈曲部５２Ｂの幅Ｗは、外側アームＡ１の下側逆屈曲部５２Ａの幅Ｗ以上であり、一実施形態では、内側アームＢ１の下側逆屈曲部５２Ｂの幅Ｗは、外側アームＡ１の下側逆屈曲部５２Ａの幅Ｗに等しい。
（４）内側アームＢ１の外側傾斜アーム部５４Ｂの幅Ｗは、外側アームＡ１の外側傾斜アーム部５４Ａの幅Ｗ以上であり、内側アームＢ１の内側傾斜アーム部５８Ｂの幅Ｗは、外側アームＡ１の内側傾斜アーム部５８Ａの幅Ｗ以上である。
（５）外側アームＡ１の外側傾斜アーム部５４Ａは、内側アームＢ１の外側傾斜アーム部５４Ｂから第１の間隔Ｓ１１だけ離間し、外側アームＡ１の上側逆屈曲部５６Ａは、内側アームＢ１の上側逆屈曲部５６Ｂから第２の間隔Ｓ１２だけ離間し、外側アームＡ１の内側傾斜壁部５８Ａは、内側アームＢ１の内側傾斜壁部５８Ｂから第３の間隔Ｓ１３だけ離間している。また、第２の間隔Ｓ１２は、第１の間隔Ｓ１１及び第３の間隔Ｓ１３よりも大きい。一実施形態では、第２の間隔Ｓ１２は第１の間隔Ｓ１１よりも大きく、第１の間隔Ｓ１１は第３の間隔Ｓ１３よりも大きい。したがって、平板状端子９が弾性変形した場合に、外側アームＡ１と内側アームＢ１とが互いに干渉することを防止できる。
（６）内側アームＢ１の厚さＴに対する内側アームＢ１の幅Ｗの比は、１．３〜２．３の範囲であり、外側アームＡ１の厚さＴに対する外側アームＡ１の幅Ｗの比は、１．３〜２．３の範囲である。
【００４２】
結論として、本開示において、平板状端子９は閉ループを有する２アーム構成であり、２アーム構成は、平板状端子９の全体的な外形に沿って配置された内側アームＢ１及び外側アームＡ１を有する。平板状端子９の内側アームＢ１及び外側アームＡ１は異なる外形を有し、内側アームＢ１及び外側アームＡ１はそれぞれ、異なる幅の部分を有し得る。また、いくつかの対応する部分では、内側アームＢ１の部分の幅Ｗは、外側アームＡ１の対応する部分の幅Ｗよりも大きく、いくつかの部分では、外側アームＡ１は、内側アームＢ１から第２の間隔Ｓ１２などの相対的に大きい間隔だけ離間している。したがって、平板状端子９の撓みの挙動は、平板状端子９の過度の撓みを防止するよう、次いで、平板状端子９の永久変形を回避するように制御され得る。
【００４３】
一実施形態では、第１の列１のそれぞれの平板状端子及び第２の列２のそれぞれの平板状端子は、異なる外形を有する。便宜的に論じるため、図１０及び図１１に戻って参照すると、第２の列２の平板状端子の内部構造は、次のように示されている：外側アームはＡ２として示され、内側アームはＢ２として示されている；外側アームＡ２の下側逆屈曲部は、５３Ａとして示され、外側傾斜アーム部は５５Ａとして示され、上側逆屈曲部は５７Ａとして示され、内側傾斜アーム部は５９Ａとして示されている；及び内側アームＢ２の下側逆屈曲部は５３Ｂとして示され、外側傾斜アーム部は５５Ｂとして示され、上側逆屈曲部は５７Ｂとして示され、内側傾斜アーム部は５９Ｂとして示されている。図９を参照すると、第１の列１のそれぞれの平板状端子のアームの部分の幅Ｗと第２の列２のそれぞれの平板状端子のアームの部分の幅Ｗとの間の関係は、次のように表わすことができる。
（１）第１の列１のそれぞれの平板状端子の内側アームＢ１の上側逆屈曲部５６Ｂの幅Ｗは、第２の列２のそれぞれの平板状端子の内側アームＢ２の上側逆屈曲部５７Ｂの幅Ｗよりも大きい。
（２）第２の列２のそれぞれの平板状端子の内側アームＢ２の内側傾斜アーム部５９Ｂの幅Ｗは、第１の列１のそれぞれの平板状端子の内側アームＢ１の内側傾斜アーム部５８Ｂの幅Ｗよりも大きい。
（３）第１の列１のそれぞれの平板状端子の外側アームＡ１の内側傾斜アーム部５８Ａの幅Ｗは、第１の列１のそれぞれの平板状端子の外側アームＡ１の上側逆屈曲部５６Ａの幅Ｗに等しく、第２の列２のそれぞれの平板状端子の外側アームＡ２の内側傾斜アーム部５９Ａの幅Ｗは、第２の列２のそれぞれの平板状端子の外側アームＡ２の上側逆屈曲部５７Ａの幅Ｗに等しく、第１の列１のそれぞれの平板状端子の外側アームＡ１の内側傾斜アーム部５８Ａの幅Ｗ及び外側アームＡ１の上側逆屈曲部５６Ａの幅Ｗは、第２の列２のそれぞれの平板状端子の外側アームＡ２の内側傾斜アーム部５９Ａ及び外側アームＡ２の上側逆屈曲部５７Ａの幅Ｗよりも大きい。
（４）第１の列１のそれぞれの平板状端子の内側アームＢ１の外側傾斜アーム部５４Ｂの幅Ｗは、第２の列２のそれぞれの平板状端子の内側アームＢ２の外側傾斜アーム部５５Ｂの幅Ｗ以上である。
（５）第１の列１のそれぞれの平板状端子の外側アームＡ１の下側逆屈曲部５２Ａの幅Ｗと、第１の列１のそれぞれの平板状端子の内側アームＢ１の下側逆屈曲部５２Ｂの幅Ｗと、第２の列２のそれぞれの平板状端子の外側アームＡ２の下側逆屈曲部５３Ａの幅Ｗと、第２の列２のそれぞれの平板状端子の内側アームＢ２の下側逆屈曲部５３Ｂの幅Ｗと、第１の列１のそれぞれの平板状端子の外側アームＡ１の外側傾斜アーム部５４Ａの幅Ｗと、第２の列２のそれぞれの平板状端子の外側アームＡ２の外側傾斜アーム部５５Ａの幅Ｗと、第２の列２のそれぞれの平板状端子の内側アームＢ２の外側傾斜アーム部５５Ｂの幅Ｗと、は、互いに等しい。
（６）第１の列１のそれぞれの平板状端子の接触部分４０の高さは、第２の列２のそれぞれの平板状端子の接触部分４０の高さよりも低い。
（７）第１の列１のそれぞれの平板状端子のガイド縁部４４と上下方向との間の鋭角は、第２の列２のそれぞれの平板状端子のガイド縁部４４と上下方向との間の鋭角よりも大きく、換言すれば、第２の列２のそれぞれの平板状端子のガイド縁部４４は、内向き及び下向きの第２の列２のそれぞれの平板状端子のガイド縁部４４よりも急勾配である。
【００４４】
第１の列１のそれぞれの平板状端子の外形の関係と、第２の列２のそれぞれの平板状端子の外形の関係については、それぞれ後述する。
【００４５】
第１の列１のそれぞれの平板状端子において：
（１）内側アームＢ１の幅Ｗと内側アームＢ１の厚さＴとの比及び外側アームＡ１の幅Ｗと外側アームＡ１の厚さＴとの比はそれぞれ、１．３〜２．３の範囲である。いくつかの実施形態では、比の範囲の一方のエンドポイント値は、１．３に限定されず、１．３〜２．３の任意の値であり得る。いくつかの実施形態では、比の範囲の他方のエンドポイント値は、２．３に限定されず、１．３〜２．３の任意の値であり得る。
（２）内側アームＢ１の上側逆屈曲部５６Ｂの幅Ｗは、外側アームＡ１の上側逆屈曲部５６Ａの幅Ｗよりも大きく、内側アームＢ１の内側傾斜アーム部５８Ｂの幅Ｗは、外側アームＡ１の内側傾斜アーム部５８Ａの幅Ｗに等しく、内側アームＢ１の外側傾斜アーム部５４Ｂの幅Ｗは、外側アームＡ１の外側傾斜アーム部５４Ａの幅Ｗ以上であり、内側アームＢ１の下側逆屈曲部５２Ｂの幅Ｗは、外側アームＡ１の下側逆屈曲部５２Ａの幅Ｗに等しい。
（３）内側アームＢ１の上側逆屈曲部５６Ｂの幅Ｗは、内側アームＢ１の内側傾斜アーム部５８Ｂの幅Ｗよりも大きく、内側アームＢ１の内側傾斜アーム部５８Ｂの幅Ｗは、内側アームＢ１の外側傾斜アーム部５４Ｂの幅Ｗ以上であり、内側アームＢ１の外側傾斜アーム部５４Ｂの幅Ｗは、内側アームＢ１の下側逆屈曲部５２Ｂの幅Ｗ以上である。
（４）外側アームＡ１の上側逆屈曲部５６Ａの幅Ｗは、外側アームＡ１の内側傾斜アーム部５８Ａの幅Ｗに等しく、外側アームＡ１の内側傾斜アーム部５８Ａの幅Ｗは、外側アームＡ１の外側傾斜アーム部５４Ａの幅Ｗよりも大きく、外側アームＡ１の外側傾斜アーム部５４Ａの幅Ｗは、外側アームＡ１の下側逆屈曲部５２Ａの幅Ｗに等しい。
（５）外側アームＡ１の外側傾斜アーム部５４Ａは、内側アームＢ１の外側傾斜アーム部５４Ｂから第１の間隔Ｓ１１だけ離間し、外側アームＡ１の上側逆屈曲部５６Ａは、内側アームＢ１の上側逆屈曲部５６Ｂから第２の間隔Ｓ１２だけ離間し、外側アームＡ１の内側傾斜壁部５８Ａは、内側アームＢ１の内側傾斜壁部５８Ｂから第３の間隔Ｓ１３だけ離間している。第２の間隔Ｓ１２は第１の間隔Ｓ１１よりも大きく、第１の間隔Ｓ１１は第３の間隔Ｓ１３よりも大きい。
【００４６】
第２の列２のそれぞれの平板状端子において：
（１）内側アームＢ２の厚さＴに対する内側アームＢ２の幅Ｗの比及び外側アームＡ２の厚さＴに対する外側アームＡ２の幅Ｗの比はそれぞれ、１．３〜２．０の範囲である。いくつかの実施形態では、比の範囲の一方のエンドポイント値は、１．３に限定されず、１．３〜２．０の任意の値であり得る。いくつかの実施形態では、比の範囲の他方のエンドポイント値は、２．０に限定されず、１．３〜２．０の任意の値であり得る。
（２）内側アームＢ２の上側逆屈曲部５７Ｂの幅Ｗは、外側アームＡ２の上側逆屈曲部５７Ａの幅Ｗよりも大きく、内側アームＢ２の内側傾斜アーム部５９Ｂの幅Ｗは、外側アームＡ２の内側傾斜アーム部５９Ａの幅Ｗよりも大きく、内側アームＢ２の外側傾斜アーム部５５Ｂの幅Ｗは、外側アームＡ２の外側傾斜アーム部５５Ａの幅Ｗに等しく、内側アームＢ２の下側逆屈曲部５３Ｂの幅Ｗは、外側アームＡ２の下側逆屈曲部５３Ａの幅Ｗに等しい。
（３）内側アームＢ２の上側逆屈曲部５７Ｂの幅Ｗは、内側アームＢ２の内側傾斜アーム部５９Ｂの幅Ｗに等しく、内側アームＢ２の内側傾斜アーム部５９Ｂの幅Ｗは、内側アームＢ２の外側傾斜アーム部５５Ｂの幅Ｗよりも大きく、内側アームＢ２の外側傾斜アーム部５５Ｂの幅Ｗは、内側アームＢ２の下側逆屈曲部５３Ｂの幅に等しい。
（４）外側アームＡ２の上側逆屈曲部５７Ａの幅Ｗは、外側アームＡ２の内側傾斜アーム部５９Ａの幅Ｗに等しく、外側アームＡ２の内側傾斜アーム部５９Ａの幅Ｗは、外側アームＡ２の外側傾斜アーム部５５Ａの幅Ｗに等しく、外側アームＡ２の外側傾斜アーム部５５Ａの幅Ｗは、外側アームＡ２の下側逆屈曲部５３Ａの幅Ｗに等しい。
（５）外側アームＡ２の外側傾斜アーム部５５Ａは、内側アームＢ２の外側傾斜アーム部５５Ｂから第１の間隔Ｓ２１だけ離間し、外側アームＡ２の上側逆屈曲部５７Ａは、内側アームＢ２の上側逆屈曲部５７Ｂから第２の間隔Ｓ２２だけ離間し、外側アームＡ２の内側傾斜壁部５９Ａは、内側アームＢ２の内側傾斜壁部５９Ｂから第３の間隔Ｓ２３だけ離間している。第２の間隔Ｓ２２は第１の間隔Ｓ２１よりも大きく、第１の間隔Ｓ２１は第３の間隔Ｓ２３よりも大きい。
【００４７】
図１１を参照すると、カードエッジコネクタ３のそれぞれの平板状端子９は、基底部分３０から上方に延在する保持部分９０を更に含み、絶縁ハウジング７に干渉固定されるように構成されている。保持部分９０は、干渉突出部９２を更に含む。それぞれの平板状端子９は、支持ブロック８０を更に含み、それぞれの支持ブロック８０は、それぞれの平板状端子９の基底部分３０と保持部分９０との間に位置付けられる。支持ブロック８０は、射出成形によって基底部分３０上に保持部分９０を保持する。図６及び図７を参照すると、それぞれの端子溝７８は、支持ブロック受容溝７８０を更に含み、それぞれの支持ブロック受容溝７８０は、その中に浅溝７９を有し、支持ブロック受容溝７８０は、長手方向に沿って横並びに配置され、互いに連通している。それぞれの平板状端子９は、それぞれの端子溝７８に下から上へ挿入され、それぞれの平板状端子９の支持ブロック８０は、それぞれの支持ブロック受容溝７８０に受容され、それぞれの平板状端子９の保持部分９０上の干渉突出部９２は、それぞれの浅溝７９に干渉固定される。支持ブロック８０は、互いに連通する支持ブロック受容溝７８０内に長手方向に沿って横並びに配置される。それぞれの支持ブロック８０の材料は、電気絶縁材料であるため、支持ブロック受容溝７８０が互いに連通して、支持ブロック８０を互いに接触させても、カードエッジコネクタ３に悪影響を及ぼさない。しかし、本実施形態では、保持部分９０は平板状端子９の基底部分３０から分離されており、本開示はこれに限定されず、いくつかの実施形態では、カードエッジコネクタ３は、支持ブロック８０及び支持ブロック受容溝７８０を含まず、保持部分９０は、平板状端子９の基底部分３０と一体に形成される。
【００４８】
また、図３及び図７を参照すると、絶縁ハウジング７は、複数の端子テール部分固定溝７６を更に含む。端子テール部分固定溝７６は、平板状端子９のテール部分６０を位置決めし、受容するように構成される。また、図３を参照すると、カードエッジモジュール４は複数の導電性パッド４１を含む。カードエッジモジュール４がカードエッジ挿入溝７４に挿入された後、導電性パッド４１は、平板状端子９の接触部分４０に電気的に結合される。
【００４９】
いくつかの実施形態の特徴は、当業者が本開示の開示内容の様々な態様をより良好に理解することができるように、上記内容に要約されている。本開示の当業者は、本開示の開示内容が、他の製造アプローチ又は構造を構成及び設計する又は変更するため、その後、本開示の実施形態と同じ目的を実現し、同じ利点を得るために、容易に使用され得ることを理解されたい。本開示の当業者は、このような等価なアプローチ又は構造が、本開示の開示内容の趣旨及び範囲から逸脱することはできず、また、当業者は、本開示の開示内容の趣旨及び範囲から逸脱することなく、様々な変更、代替及び置換を行うことができることを理解されたい。
【図１】
2019050184.tif 000003
【図２】
2019050184.tif 000004
【図３】
2019050184.tif 000005
【図４】
2019050184.tif 000006
【図５】
2019050184.tif 000007
【図６】
2019050184.tif 000008
【図７】
2019050184.tif 000009
【図８】
2019050184.tif 000010
【図９】
2019050184.tif 000011
【図１０】
2019050184.tif 000012
【図１１】
2019050184.tif 000013
【外国語明細書】
2019050184000001.pdf
2019050184000002.pdf
2019050184000003.pdf
2019050184000004.pdf